(57)【要約】      （修正有）【課題】リング状バネの縮径リング部と環状溝部との嵌脱によりリング状バネを回転工具に対して容易に装着及び嵌脱することができ、回転工具と電動工具との連結を容易に解除することができ、サイズ変更の際の回転工具の交換作業を容易に行うことができる回転工具落下防止用アタッチメント及び電動工具を提供する。【解決手段】電動工具Ｗと電動工具の回転出力部Ｗ３に着脱自在な回転工具とを連結する連結部材２の基端部に電動工具側に止着可能な止着部２ａを設けると共に連結部材の先端部にフック部材２ｂを設け、回転工具の外周部に環状溝部を形成し、環状溝部内にＣ状の縮径リング部及び縮径リング部の開放両端部が交差した形状の交差部からなるリング状バネ３を遊転自在に嵌着し、リング状バネの開放両端部にフック部材が係脱可能であってリング状バネの縮径リング部をバネ圧に抗して拡径するための対向一対の指挟圧部を設けてなる。【選択図】図１
0003166365.tif 000002
【実用新案登録請求の範囲】
【請求項１】
電動工具と該電動工具の回転出力部に着脱自在な回転工具とを連結する連結部材を備えてなり、上記連結部材の基端部に上記電動工具側に止着可能な止着部を設けると共に該連結部材の先端部にフック部材を設け、上記回転工具の外周部に環状溝部を形成し、該環状溝部内にＣ状の縮径リング部及び縮径リング部の開放両端部が交差した形状の交差部からなるリング状バネを遊転自在に嵌着し、該リング状バネの開放両端部に上記フック部材が係脱可能であって該リング状バネの縮径リング部をバネ圧に抗して拡径するための対向一対の指挟圧部を設けてなることを特徴とする回転工具落下防止用アタッチメント。
【請求項２】
上記回転出力部に装着穴部が設けられ、上記回転工具はボルト頭部やナットに嵌合可能なソケット部及び上記電動工具の回転出力部の該装着穴部に嵌脱可能なビット部からなることを特徴とする請求項１記載の回転工具落下防止用アタッチメント。
【請求項３】
上記電動工具に使用者の身体に吊下げるための吊下金具体を装着し、該吊下金具体に上記連結部材の止着部を取着してなることを特徴とする請求項１又は２記載の回転工具落下防止用アタッチメント。
【請求項４】
上記連結部材は屈曲自在な紐材であることを特徴とする請求項１〜３のいずれか１項に記載の回転工具落下防止用アタッチメント。
【請求項５】
上記請求項１〜４のいずれか１項に記載の回転工具落下防止用アタッチメントを備えてなることを特徴とする電動工具。
【考案の詳細な説明】
【技術分野】
【０００１】
本考案は、例えば、電動ドライバー、インパクトドライバー、電動ドリル等の電動工具に用いられる回転工具落下防止用アタッチメント及びそれを備えた電動工具に関するものである。
【背景技術】
【０００２】
従来、この種の回転工具落下防止用アタッチメントとして、電動工具と電動工具の回転出力部に着脱自在な回転工具とを連結する連結部材を備えてなり、上記連結部材の基端部に電動工具側に止着可能な止着部を設けると共に連結部材の先端部にフック部材を設け、回転工具のソケット部の外周部に環状溝部を形成し、この環状溝部内に軸により開閉自在に枢着した一対の板状のアーム部材を遊転自在に嵌着し、アーム部材に連結部材のフック部材を連結してなる構造のものが知られている。
【０００３】
しかして、電動工具の回転出力部と上記回転工具との間が折損したような場合に、回転工具の落下を連結部材により防ぐことになる。
【先行技術文献】
【特許文献】
【０００４】
【特許文献１】特開２００９−２８５７５６号
【特許文献２】実用新案登録第３１６３７１５号
【特許文献３】実用新案登録第３１５５７６２号
【考案の概要】
【考案が解決しようとする課題】
【０００５】
しかしながらこれら従来構造の場合、上記環状溝部に対する一対の板状のアーム部材の装着並びに脱着が面倒となることがあるという不都合を有している。
【課題を解決するための手段】
【０００６】
本考案はこのような不都合を解決することを目的とするもので、本考案のうち、請求項１記載の考案は、電動工具と該電動工具の回転出力部に着脱自在な回転工具とを連結する連結部材を備えてなり、上記連結部材の基端部に上記電動工具側に止着可能な止着部を設けると共に該連結部材の先端部にフック部材を設け、上記回転工具の外周部に環状溝部を形成し、該環状溝部内にＣ状の縮径リング部及び縮径リング部の開放両端部が交差した形状の交差部からなるリング状バネを遊転自在に嵌着し、該リング状バネの開放両端部に上記フック部材が係脱可能であって該リング状バネの縮径リング部をバネ圧に抗して拡径するための対向一対の指挟圧部を設けてなることを特徴とする回転工具落下防止用アタッチメントにある。
【０００７】
又、請求項２記載の考案は、上記回転出力部に装着穴部が設けられ、上記回転工具はボルト頭部やナットに嵌合可能なソケット部及び上記電動工具の回転出力部の該装着穴部に嵌脱可能なビット部からなることを特徴とするものであり、又、請求項３記載の考案は、上記電動工具に使用者の身体に吊下げるための吊下金具体を装着し、該吊下金具体に上記連結部材の止着部を取着してなることを特徴とするものであり、又、請求項４記載の考案は、上記連結部材は屈曲自在な紐材であることを特徴とするものである。
【０００８】
又、請求項５記載の考案は、上記請求項１〜４のいずれか１項に記載の回転工具落下防止用アタッチメントを備えてなることを特徴とする電動工具にある。
【考案の効果】
【０００９】
本考案は上述の如く、請求項１又は５記載の考案にあっては、電動工具と電動工具の回転出力部に着脱自在な回転工具とは連結部材により連結されているので、電動工具の回転出力部と回転工具との間が折損したとしても、回転工具の落下を連結部材により防ぐことができ、使用の安全性を向上することができ、この際、連結部材の基端部に上記電動工具側に止着可能な止着部を設けると共に連結部材の先端部にフック部材を設け、回転工具の外周部に対向する環状溝部を形成し、環状溝部内にＣ状の縮径リング部及び縮径リング部の開放両端部が交差した形状の交差部からなるリング状バネを遊転自在に嵌着し、リング状バネの開放両端部にフック部材が係脱可能であってリング状バネの縮径リング部をバネ圧に抗して拡径するための対向一対の指挟圧部を設けているから、リング状バネの一対の指挟圧部を指により挟むことにより交差部を介してＣ状の縮径リング部は拡径することになり、この拡径によりリング状バネを環状溝部から離脱してソケット部から取り外すことができ、一方、この拡径状態において、環状溝部にリング状バネの縮径リング部を嵌合して指を一対の指挟圧部から離反することにより自己のバネ圧により縮径リング部は縮径して環状溝部内に嵌着し、リング状バネは環状溝部に遊転自在に嵌着されているから回転工具の回転に影響することもなく、連結部材の先端部のフック部材を一方の指挟圧部に係合することにより上記落下を防ぐことができ、リング状バネの縮径リング部と環状溝部との嵌脱によりリング状バネを回転工具に対して容易に装着及び嵌脱することができ、回転工具と電動工具との連結を容易に解除することができ、サイズ変更の際の回転工具の交換作業を容易に行うことができ、作業性を向上することができる。
【００１０】
又、請求項２記載の考案にあっては、上記回転出力部に装着穴部が設けられ、上記回転工具はボルト頭部やナットに嵌合可能なソケット部及び電動工具の回転出力部の装着穴部に嵌脱可能なビット部からなるので、ソケット部によりボルト頭部やナットの締付弛緩作業を行うことができると共にビット部により電動工具の回転出力部の装着穴部との嵌脱作業を容易に行うことができ、又、請求項３記載の考案にあっては、上記電動工具に使用者の身体に吊下げるための吊下金具体を装着し、吊下金具体に上記連結部材の止着部を取着してなるから、電動工具を身体に吊下げることができ、作業性を高めることができ、又、請求項４記載の考案にあっては、上記連結部材は屈曲自在な紐材であるから、連結部材が作業に支障をきたすことを抑制でき、作業性を向上することができる。
【図面の簡単な説明】
【００１１】
【図１】本考案の実施の形態例の全体側面図である。
【図２】本考案の実施の形態例の分離斜視図である。
【図３】本考案の実施の形態例の拡大側面図である。
【図４】本考案の実施の形態例の拡大横断面図である。
【考案を実施するための形態】
【００１２】
図１乃至図４は本考案の実施の形態例を示し、Ｗは電動工具、この場合、電動ドライバーであって、胴体部Ｗ１内に図示省略のモーターが内蔵され、底部に充電池Ｗ２が配置され、胴体部Ｗ１にモーターにより駆動回転される回転出力部Ｗ３が設けられ、回転出力部Ｗ３に装着穴部Ｗ４が設けられている。
【００１３】
１は回転工具であって、この場合、図１の如く、ソケット部１ａ及び上記電動工具Ｗの回転出力部Ｗ３の装着穴部Ｗ４に嵌脱可能なビット部１ｂからなり、ビット部１ｂは六角軸状に形成され、ソケット部１ａの外周部に対向する環状側面１ｃ・１ｃ及び環状底面１ｄからなる環状溝部１ｅを形成し、ソケット部１ａに締付すべきボルト頭部やナットに嵌合可能な嵌合穴１ｆが形成され、嵌合穴１ｆのサイズの異なる回転工具１が複数個用意され、サイズの異なる回転工具１の交換作業時において、スリーブＷ５のスライド操作により図示省略の着脱構造をもって装着穴部Ｗ４にビット部１ｂを挿脱固定可能に構成されている。
【００１４】
２は連結部材であって、この場合、屈曲自在な合成樹脂製からなる布状の紐材により形成され、この連結部材２の基端部には上記電動工具Ｗ側に止着可能な止着部２ａが設けられ、連結部材２の先端部には解除可能なフック部材２ｂが設けられ、中間部分に連結部材２の長さを調節する長さ調節部２ｃを設けて構成している。
【００１５】
３はリング状バネであって、図１、図３、図４の如く、Ｃ状の縮径リング部３ａ、縮径リング部３ａの開放両端部が交差した形状の交差部３ｂ及びリング状バネ３の開放両端部に上記フック部材２ｂが係脱可能であってリング状バネ３の縮径リング部３ａをバネ圧に抗して拡径するための対向一対の指挟圧部３ｃ・３ｃが一本のバネ線材の折曲により形成され、リング状バネ３の縮径リング部３ａを環状溝部１ｅ内に遊転自在に嵌着可能に構成している。
【００１６】
４は吊下金具体であって、図１の如く、略Ｕ状にして上記電動工具Ｗの胴体部Ｗ１に締めバンド４ａにより取り付けられ、吊下金具体４に使用者の身体に吊下げるための吊下杆４ｂが引出収納自在に設けられ、吊下金具体４の前部に上記連結部材２の止着部２ａを掛止する掛止部４ｃが形成されている。
【００１７】
この実施の形態例は上記構成であるから、図１の如く、電動工具Ｗと電動工具Ｗの回転出力部Ｗ３に着脱自在な回転工具１とは連結部材２により連結されているので、電動工具Ｗの回転出力部Ｗ３と回転工具１との間のビット部１ｂが折損したとしても、回転工具１の落下を連結部材２により防ぐことができ、使用の安全性を向上することができ、この際、連結部材２の基端部に上記電動工具Ｗ側に止着可能な止着部２ａを設けると共に連結部材２の先端部にフック部材２ｂを設け、回転工具Ｗの外周部に対向する環状側面１ｃ・１ｃ及び環状底面１ｄからなる環状溝部１ｅを形成し、環状溝部１ｅ内にＣ状の縮径リング部３ａ及び縮径リング部３ａの開放両端部が交差した形状の交差部３ｂからなるリング状バネ３を遊転自在に嵌着し、リング状バネ３の開放両端部にフック部材２ｂが係脱可能であってリング状バネ３の縮径リング部３ａをバネ圧に抗して拡径するための対向一対の指挟圧部３ｃ・３ｃを設けているから、図４の如く、リング状バネ３の一対の指挟圧部３ｃ・３ｃを指により挟むことにより交差部３ｂを介してＣ状の縮径リング部３ａは実線位置から想像線位置に示すようにソケット部１ａの外径よりも大きく拡径することになり、この拡径によりリング状バネ３を環状溝部１ｅから離脱してソケット部１ａから取り外すことができ、一方、この拡径状態において、ソケット部１ａの環状溝部１ｅにリング状バネ３の縮径リング部３ａを嵌合して指を一対の指挟圧部から離反することにより自己のバネ圧により縮径リング部３ａは縮径して環状溝部１ｅ内に嵌着し、リング状バネ３は環状溝部１ｅに遊転自在に嵌着されているから回転工具１の回転に影響することもなく、連結部材２の先端部のフック部材２ｂを一方の指挟圧部３ｃに係合することにより上記落下を防ぐことができ、リング状バネ３の縮径リング部３ａと環状溝部１ｅとの嵌脱によりリング状バネ３をソケット部１ａに対して容易に装着及び嵌脱することができ、回転工具１と電動工具Ｗとの連結を容易に解除することができ、嵌合穴１ｆのサイズ変更の際の回転工具１の交換作業を容易に行うことができ、作業性を向上することができる。
【００１８】
又、この場合、上記回転出力部Ｗ３に装着穴部Ｗ４が設けられ、上記回転工具１はボルト頭部やナットに嵌合可能なソケット部１ａ及び電動工具Ｗの回転出力部Ｗ３の装着穴部Ｗ４に嵌脱可能なビット部１ｂからなるので、ソケット部１ａによりボルト頭部やナットの締付弛緩作業を行うことができると共にビット部１ｂにより電動工具Ｗの回転出力部Ｗ３の装着穴部Ｗ４との嵌脱作業を容易に行うことができ、又、この場合、上記電動工具Ｗに使用者の身体に吊下げるための吊下金具体４を装着し、吊下金具体４に上記連結部材２の止着部２ａを取着してなるから、電動工具Ｗを身体に吊下げることができ、作業性を高めることができ、又、この場合、上記連結部材２は屈曲自在な紐材であるから、連結部材２が作業に支障をきたすことを抑制でき、作業性を向上することができる。
【００１９】
尚、本考案は上記の形態例に限られるものではなく、上記回転工具１、連結部材２、リング状バネ３の大きさや形状、材質、構造等は電動工具Ｗの形状や大きさ等に応じて適宜変更して設計される。
【００２０】
以上の如く、所期の目的を充分達成することができる。
【符号の説明】
【００２１】
Ｗ    電動工具
Ｗ３    回転出力部
Ｗ４    装着穴部
１    回転工具
１ａ    ソケット部
１ｂ    ビット部
１ｅ    環状溝部
２    連結部材
２ａ    止着部
２ｂ    フック部材
３    リング状バネ
３ａ    縮径リング部
３ｂ    交差部
３ｃ    指挟圧部
４    吊下金具体
【図１】
0003166365.tif 000003
【図２】
0003166365.tif 000004
【図３】
0003166365.tif 000005
【図４】
0003166365.tif 000006